(57)【要約】【課題】装置の小型化、伝送損失の低減及び高効率化を図ることが可能な増幅器を提供する。【解決手段】常に信号の増幅動作を行うキャリア増幅器２１と、高電力出力時のみに動作するピーク増幅器２２と、キャリア増幅器２１とピーク増幅器２２の出力を合成して出力する合成器２３と、入力信号をキャリア増幅器２１側とピーク増幅器２２側に分配する分配器２４とを含んで構成される。キャリア増幅器２１およびピーク増幅器２２は１個のパッケージ１（１パッケージトランジスタ）に内蔵される。分配器２４と合成器２３とは、パッケージ１の外部に配置されている。【選択図】  図１
2008306771.tif 000002
【特許請求の範囲】
【請求項１】
入力信号を二分配する分配器と、前記分配器からの一方の信号が入力される１個または複数個の線形増幅器と、前記分配器からの他方の信号が入力される１個または複数個の非線形増幅器と、前記線形増幅器および前記非線形増幅器からの出力信号を合成する合成器とを含む増幅器であって、
１個のパッケージに内蔵された複数個のトランジスタのうち、所定個のトランジスタの各々を前記線形増幅器として用い、他のトランジスタの各々を前記非線形増幅器として用い、
前記分配器と前記合成器とは、前記パッケージの外部に配置されていることを特徴とする増幅器。
【請求項２】
前記線形増幅器はキャリア増幅器であり、前記非線形増幅器はピーク増幅器であることを特徴とする請求項１記載の増幅器。
【請求項３】
前記線形増幅器および前記非線形増幅器は各々１個で構成され、１個のパッケージに内蔵された２個のトランジスタのうち、一方のトランジスタを前記線形増幅器として用い、他方を前記非線形増幅器として用いることを特徴とする請求項１または２記載の増幅器。
【請求項４】
前記１個のパッケージに内蔵されたトランジスタは、プッシュプル増幅器用トランジスタあるいはバランス増幅器用トランジスタであることを特徴とする請求項１から３いずれかに記載の増幅器。
【請求項５】
前記分配器は前記線形増幅器と非線形増幅器との位相関係を、前記合成器の信号合成点で同相で合成されるようにするためのものであることを特徴とする請求項１から４いずれかに記載の増幅器。
【請求項６】
前記分配器は１／４波長伝送線路または９０°ハイブリッド回路で構成されることを特徴とする請求項１から５いずれかに記載の増幅器。
【請求項７】
前記合成器はトランス、インピーダンス変換器、１／４波長伝送線路のいずれかで構成されることを特徴とする請求項１から６いずれかに記載の増幅器。
【請求項８】
前記増幅器は、ドハティ増幅器を含むことを特徴とする請求項１から７いずれかに記載の増幅器。
【請求項９】
前記線形増幅器および前記非線形増幅器とは、それぞれ異なる動作クラスでバイアスされていることを特徴とする請求項１から８いずれかに記載の増幅器。
【請求項１０】
前記パッケージは、少なくともゲート電極及びドレイン電極を有することを特徴とする請求項１から９いずれかに記載の増幅器。
【発明の詳細な説明】
【技術分野】
【０００１】
本発明は増幅器に関し、特に、線形増幅器と非線形増幅器とを併用して増幅を行う増幅器に関する。
【背景技術】
【０００２】
無線通信システムに利用される電力増幅器には線形性と高効率が要求されている。特に、最近の多値デジタル変調通信システム等では信号振幅の平均値と最大振幅が大きく異なる信号を取り扱うことが多い。従来の電力増幅器でこのような信号を増幅する場合には、増幅器は信号を歪ませずに最大振幅まで増幅できるような動作点に設定される。このため、比較的高効率を維持できる飽和出力付近で動作している時間がほとんどなく、一般的に増幅器の効率は低かった。
【０００３】
この問題を解決するために、線形性を維持しながら増幅器の効率を高めるさまざまな技術が開発されてきた。その一つにドハティ増幅器がある。ドハティ増幅器の基本的な構成は当業者にはすでに公知となっている（非特許文献１および２参照）。
【０００４】
また、後述する拡張型ドハティ増幅器も公知である（非特許文献３参照）。
【０００５】
ドハティ増幅器では、飽和出力電力近傍で飽和を維持しながら動作する増幅器を有することにより、飽和電力からバックオフをとった出力時においても、通常のＡ級、ＡＢ級増幅器より高い効率が実現されている。
【０００６】
図４は従来のドハティ増幅器の一例の構成図である。
【０００７】
同図は特許文献１記載の増幅器を簡略化して記載したものである。
【０００８】
同図を参照すると、従来のドハティ増幅器は、常に信号の増幅動作を行うキャリア増幅器２１と、高電力出力時のみに動作するピーク増幅器２２（「補助増幅器」と呼ばれることもあるが、本発明では「ピーク増幅器」で統一する）と、キャリア増幅器２１とピーク増幅器２２の出力を合成して出力する合成器２３と、入力信号をキャリア増幅器２１側とピーク増幅器２２側に分配する分配器２４とを有する。また、キャリア増幅器２１は１個のパッケージ２５に内蔵され、ピーク増幅器２２はこれとは異なる１個のパッケージ２６に内蔵されている。
【０００９】
キャリア増幅器２１には、通常ＡＢ級やＢ級にバイアスされた増幅器が用いられる。また、ピーク増幅器２２は信号電力が高出力時にのみ動作するよう、通常はＣ級にバイアスされて使用される。キャリア増幅器２１とピーク増幅器２２の出力を結合する合成器２３は、トランスやインピーダンス変換器等で構成されており、マイクロ波帯等の信号を扱う場合には通常１／４波長の伝送線路から構成される。入力の分配器２４は、ピーク増幅器２２とキャリア増幅器２１の出力信号の位相関係を合成器２３の信号合成点で同相で合成されるようにするための１／４波長の伝送線路や９０°ハイブリッド回路などから構成される。
【００１０】
前述したように、このようなドハティ増幅器の構成要素であるキャリア増幅器２１とピーク増幅器２２は、これまでそれぞれ別個にパッケージされた増幅素子（１パッケージトランジスタ）を用いて構成されていた。
【００１１】
一例として、キャリア増幅器２１およびピーク増幅器２２にそれぞれＭＲＦ１８３（モトローラインコーポレイテッド社の電界効果トランジスタ）というＭＯＳ型ＦＥＴ半導体素子を２個用いて構成されていた。
【００１２】
【特許文献１】特表平１０−５１３６３１号公報（要約、第６図）
【非特許文献１】Ｗ．Ｈ．ドハティ（Ｗ．Ｈ．Ｄｏｈｅｒｔｙ）著、″Ａ  Ｎｅｗ  Ｈｉｇｈ  Ｅｆｆｉｃｉｅｎｃｙ  Ｐｏｗｅｒ  Ａｍｐｌｉｆｉｅｒ  ｆｏｒ  Ｍｏｄｕｌａｔｅｄ  Ｗａｖｅｓ″，１９３６  Ｐｒｏｃ．ｏｆ  ＩＲＥ，Ｖｏｌ．２４，Ｎｏ．９，ｐｐ１１６３−１１８２
【非特許文献２】スティーブ・Ｃ・クリップス（Ｓｔｅｖｅ  Ｃ．Ｃｒｉｐｐｓ）著、″Ａｄｖａｎｃｅｄ  Ｔｅｃｈｎｉｑｕｅｓ  ｉｎ  ＲＦＰｏｗｅｒ  Ａｍｐｌｉｆｉｅｒｓ″，Ａｒｔｅｃｈ  Ｈｏｕｓｅ  ２００２，ｐｐ３３−５６
【非特許文献３】Ｙｏｕｎｇｏｏ  Ｙａｎｇ，Ｊｅｏｎｇｈｙｅｏｎ  Ｃｈａ，Ｂｕｍｊａｅ  Ｓｈｉｎ  ａｎｄ  Ｂｕｍｍａｎ  Ｋｉｍ著、″Ａ  Ｆｕｌｌｙ  Ｍａｔｃｈｅｄ  Ｎ−ｗａｙ  Ｄｏｈｅｒｔｙ  Ａｍｐｌｉｆｉｅｒ  Ｗｉｔｈ  Ｏｐｔｉｍｉｚｅｄ  Ｌｉｎｅａｒｔｙ″，ＩＥＥＥ  Ｔｒａｎｓ．ＭＴＴ，Ｖｏｌ．５１，Ｎｏ．３，Ｍａｒｃｈ  ２００３
【発明の開示】
【発明が解決しようとする課題】
【００１３】
このような構成では、各増幅器は別々のパッケージに納められたトランジスタを使用しているため、２パッケージ分のトランジスタの実装面積が必要であり、装置の小型化を進める上では不利であった。
【００１４】
また、２個の増幅器が別個に配置されるため、各増幅器出力から信号合成点に至る伝送線路長が長くなり、伝送損失が増加し、増幅器全体の効率を低下させる要因となっていた。また、装置の低コスト化にも不利な構成となっていた。
【００１５】
また、プッシュプル増幅器あるいはバランス増幅器として構成されたＡ級、ＡＢ級、Ｂ級等の線形増幅器では、前述のように電力増幅器で比較的高効率を維持できる飽和出力付近で動作している時間がほとんどない。このため、一般的に効率が低く、より高効率で動作する電力増幅器が要求されていた。
【００１６】
そこで、本発明の目的は、装置の小型化、伝送損失の低減および高効率化を図ることが可能な増幅器を提供することにある。
【課題を解決するための手段】
【００１７】
前記課題を解決するために、本発明は、入力信号を二分配する分配器と、前記分配器からの一方の信号が入力される１個または複数個の線形増幅器と、前記分配器からの他方の信号が入力される１個または複数個の非線形増幅器と、前記線形増幅器および前記非線形増幅器からの出力信号を合成する合成器とを含む増幅器であって、１個のパッケージに内蔵された複数個のトランジスタのうち、所定個のトランジスタの各々を前記線形増幅器として用い、他のトランジスタの各々を前記非線形増幅器として用い、前記分配器と前記合成器とは、前記パッケージの外部に配置されていることを特徴とする。
【００１８】
従来より、プッシュプル増幅器用あるいはバランス増幅器用のトランジスタを２個内蔵したパッケージが存在したが、本発明ではこのパッケージの一方のトランジスタを線形増幅器（キャリア増幅器）として動作させ、他方のトランジスタを非線形増幅器（ピーク増幅器）として動作させることにより、１パッケージ構成のドハティ増幅器を実現する。
【発明の効果】
【００１９】
本発明によれば、キャリア増幅器とピーク増幅器を１パッケージのトランジスタで構成しているので、ドハティ増幅器を小型に構成できる。
【００２０】
また、キャリア増幅器とピーク増幅器を１パッケージのトランジスタで構成して小型化しているので、キャリア増幅器とピーク増幅器の出力を合成する回路の伝送損失を低減でき、増幅器としての効率が向上する。
【００２１】
さらに、ドハティ増幅器を１パッケージのトランジスタで構成しているので、従来のＡ級、ＡＢ級などの増幅器を同じ１パッケージのトランジスタで構成する場合に比較して、高効率化できる。
【発明を実施するための最良の形態】
【００２２】
以下、本発明の実施例について添付図面を参照しながら説明する。図１は本発明に係る増幅器の一例の構成図である。
【００２３】
同図を参照すると、本発明に係る増幅器は、常に信号の増幅動作を行うキャリア増幅器２１と、高電力出力時のみに動作するピーク増幅器２２と、キャリア増幅器２１とピーク増幅器２２の出力を合成して出力する合成器２３と、入力信号をキャリア増幅器２１側とピーク増幅器２２側に分配する分配器２４とを有する。また、キャリア増幅器２１およびピーク増幅器２２は１個のパッケージ１（１パッケージトランジスタ）に内蔵されている。この増幅器は入力端から入力された被増幅信号を所望の電力まで増幅する。
【００２４】
キャリア増幅器２１には、通常、ＡＢ級やＢ級にバイアスされた増幅器が用いられる。また、ピーク増幅器２２は信号電力が高出力時にのみ動作するよう、通常はＣ級にバイアスされて使用される。キャリア増幅器２１とピーク増幅器２２の出力を結合する合成器２３は、トランスやインピーダンス変換器等で構成されており、マイクロ波帯等の信号を扱う場合には通常１／４波長の伝送線路から構成される。入力の分配器２４は、ピーク増幅器２２とキャリア増幅器２１の出力信号の位相関係を合成器２３の信号合成点で同相で合成されるようにするための１／４波長の伝送線路や９０°ハイブリッド回路などから構成される。
【００２５】
なお、図１ではトランジスタとして電界効果トランジスタの記号を記載しているが、もちろんこれに限られるものではなく、バイポーラトランジスタ等他の同等機能の素子で構成できる。また、上記実施例中の分配器２４や合成器２３等の他の実施形線例も良く知られており、また直接本発明とは関連がないためそれらの詳細な説明については省略する。
【００２６】
従来のドハティ増幅器におけるキャリア増幅器とピーク増幅器は、それぞれ別個のパッケージのトランジスタから構成されていた。一方、本発明によれば１つのパッケージのトランジスタで同等の増幅器を構成できるため、同等の飽和出力を有するドハティ増幅器を構成した場合に実装面積の小型化や低コスト化が達成できるという効果を有する。
【００２７】
また、ドハティ増幅器は、よく知られているように、通常のＡ級、ＡＢ級などの線形増幅器と比較して高い効率が得られるという効果がある。このため、同じトランジスタを用いて、Ａ級、ＡＢ級、Ｂ級等の線形増幅器をプッシュプル増幅器あるいはバランス増幅器を構成した場合と本発明のドハティ増幅器とを比較すると、同等の性能で大型化することなく、高い効率の増幅器が得られるという効果も有する。
【００２８】
次に、本発明の実施例の動作について、具体的な例を用いて説明する。
【００２９】
ここでは、一例として２ＧＨｚ帯で飽和出力１８０Ｗの増幅器を一般的なドハティ増幅器で構成することを考える。従来の構成では、キャリア増幅器、ピーク増幅器にそれぞれ同じ出力の素子を使用するのが一般的で、すなわち各増幅器の出力を９０Ｗとし、ドハティ増幅器として１８０Ｗの出力を得るという構成となる。
【００３０】
この場合において、具体的な９０Ｗ出力のトランジスタとしてはモトローラインコーポレイテッド社のＭＲＦ２１０９０という１パッケージに１個の電界効果トランジスタが納められた素子を望ましい素子として選択するとする。これは発明者の知る限りにおいては本願発明の時点で同出力のトランジスタの中でもかなり小型化されている製品の一つである。
【００３１】
図２は電界効果トランジスタ（ＭＲＦ５Ｐ２１１８０）の外観図、図３は電界効果トランジスタ（ＭＲＦ２１０９０）の外観図である。
【００３２】
図２にはパッケージ（フランジ）１１に２個のゲート電極１２ａ、１２ｂと２個のドレイン電極１３ａ、１３ｂを有する電界効果トランジスタが示されている。図３にはパッケージ（フランジ）１４に１個のゲート電極１５と１個のドレイン電極１６を有する電界効果トランジスタが示されている。
【００３３】
図３に示す電界効果トランジスタ（ＭＲＦ２１０９０）の電極部を除いた外形寸法は、１個あたり約３４ｍｍｘ１３．８ｍｍであり、トランジスタ部の実装面積としては最低この寸法の２個分、約９．４平方センチメートルが必要である。
【００３４】
一方、本発明にしたがって、１８０Ｗのドハティ増幅器を１パッケージの電界効果トランジスタで構成する場合を考える。プッシュプル用として１パッケージに２個のトランジスタを内蔵した１８０Ｗ出力のデバイスとして、同じくモトローラインコーポレイテッド社のＭＲＦ５Ｐ２１１８０というトランジスタを採用したとする（図２参照）。
【００３５】
この場合、同図に示すように、トランジスタの電極部を除いた外形寸法は約４１ｍｍｘ１０ｍｍであり、実装面積としては約４．１平方センチメートルとなる。トランジスタ部だけの比較でも、従来構成と比較して面積４３％以下と小型化したドハティ増幅器を構成することが可能であり、周辺回路等々を含めても従来構成よりもほぼ半分の面積に小型化することができる。
【００３６】
このように、回路実装面積を小型化することができるため、特にキャリア増幅器とピーク増幅器の出力を合成する回路の線路長を短く構成することができる。すなわち、信号の伝送損失を低減でき、結果としてドハティ増幅器としての効率を向上させることができる。
【００３７】
例えば、上記具体例で増幅器の面積をほぼ半分で構成した場合、伝送線路長は７割程度（１／√２）は十分に低減が可能であり、それに対応した損失分を低減することができる。たとえば、上記の具体例の場合、２ＧＨｚ帯で２０ｍｍ程度の線路長を短縮することがでる。これは一般的なガラスエポキシ基板での伝送損失で０．１ｄＢ程度（２％）低減に相当し、特に増幅器出力で１８０Ｗの電力を得ようとした場合に４Ｗ程度の損失を低減することができる。
【００３８】
また、同じ１８０Ｗの増幅器をＡ級、Ｂ級等の一般的なプッシュプル型やバランス型線形増幅器で構成した場合と比較しても、本発明では同じ素子をドハティ増幅器として使用しているために、増幅器の効率を大幅に改善することが可能である。
【００３９】
次に、他の実施例について説明する。
【００４０】
本発明の他の実施例として、その基本的構成は上記の通りであるが、一つのパッケージにさらに３つ以上の複数のトランジスタを納めた素子を使用して、ピーク増幅器とキャリア増幅器の電力分配比が均等でないいわゆる拡張型ドハティ増幅器を構成することも可能である。拡張型ドハティ増幅器の構成方法の一例としては、前述の非特許文献３などに、キャリア増幅器とピーク増幅器で合計Ｎ個の増幅器から構成されるドハティ増幅器について記載されている。このような拡張型ドハティ増幅器にも本発明を容易に適用できることはいうまでもない。更に、ピーク増幅器やキャリア増幅器が多段の増幅器から構成されたドハティ増幅器などの変形例にも本発明を容易に適用できることは明らかである。
【図面の簡単な説明】
【００４１】
【図１】本発明に係る増幅器の一例の構成図である。
【図２】電界効果トランジスタ（ＭＲＦ５Ｐ２１１８０）の外観図である。
【図３】電界効果トランジスタ（ＭＲＦ２１０９０）の外観図である。
【図４】従来のドハティ増幅器の一例の構成図である。
【図１】
2008306771.tif 000003
【図２】
2008306771.tif 000004
【図３】
2008306771.tif 000005
【図４】
2008306771.tif 000006